【手続補正書】
【提出日】平成17年8月15日(2005.8.15)
【手続補正１】
【補正対象書類名】明細書
【補正対象項目名】特許請求の範囲
【補正方法】変更
【補正の内容】
【特許請求の範囲】
【請求項１】
遊技に使用可能な記録媒体について所定処理を行なう機能を有し、電気的に接地可能な接地部を有する記録媒体処理装置が電気的に接続可能であり、前記記録媒体を用いて遊技媒体を貸出す操作が行われたときに遊技媒体を払出す払出装置が備えられ、該払出装置から払出された遊技媒体を用いて遊技が行なわれる遊技機であって、
前記遊技媒体と接触可能な所定位置に設けられた導電性を有する接触部材と、
前記記録媒体処理装置に対し各種情報の送受信を行うために、該記録媒体処理装置からの情報送受信用配線が接続される基板とを含み、
前記基板は、前記記録媒体処理装置の前記接地部に電気的に接続される静電気放電用配線および前記情報送受信用配線の複数本の配線を纏めて接続するためのコネクタを有し、
該コネクタにより前記複数本の配線が接続されることにより、前記接触部材が受けた静電気の放電が可能な態様で、当該接触部材が前記基板と前記静電気放電用配線を介して前記記録媒体処理装置の前記接地部に電気的に接続されることを特徴とする、遊技機。
【請求項２】
前記遊技機に補給された前記遊技媒体を貯留する補給遊技媒体貯留部をさらに含み、
前記接触部材は、前記補給遊技媒体貯留部において遊技媒体と接触可能な所定位置に設けられた補給遊技媒体用接触部材を含むことを特徴とする、請求項１に記載の遊技機。
【請求項３】
前記接触部材は、前記払出装置から払出された遊技媒体を該遊技媒体の貯留および発射位置への誘導が可能な払出遊技媒体貯留部まで誘導する払出遊技媒体誘導通路において、遊技媒体と接触可能な所定位置に設けられた払出遊技媒体用接触部材を含むことを特徴とする、請求項１または２に記載の遊技機。
【請求項４】
前記接触部材は、前記払出装置から払出された遊技媒体の貯留および発射位置への誘導が可能な払出遊技媒体貯留部に形成されて遊技媒体を整列させ、発射位置に誘導する整列通路において、遊技媒体と接触可能な所定位置に設けられた整列遊技媒体用接触部材を含むことを特徴とする、請求項１から３のいずれかに記載の遊技機。
【請求項５】
前記接触部材は、前記払出装置から払出された遊技媒体の貯留および発射位置への誘導が可能な払出遊技媒体貯留部が遊技媒体で満杯の場合に、前記払出装置が設けられて遊技媒体を払出すための機構部に形成された通路であって、余剰の遊技媒体を当該余剰の遊技媒体の貯留が可能な余剰遊技媒体貯留部へ誘導する余剰遊技媒体誘導通路において、遊技媒体と接触可能な所定位置に設けられた余剰遊技媒体用接触部材を含むことを特徴とする、請求項１から４のいずれかに記載の遊技機。
【請求項６】
前記接触部材は、前記払出装置から払出された遊技媒体の貯留および発射位置への誘導が可能な払出遊技媒体貯留部が遊技媒体で満杯の場合に前記払出装置が設けられて遊技媒体を払出すための機構部を経て誘導されてきた余剰の遊技媒体を当該余剰の遊技媒体の貯留が可能な余剰遊技媒体貯留部に誘導する貯留遊技媒体誘導通路において、遊技媒体と接触可能な所定位置に設けられた貯留誘導遊技媒体用接触部材を含むことを特徴とする、請求項１から５のいずれかに記載の遊技機。
【請求項７】
前記接触部材の前記基板への接続は、前記遊技機の開閉部において蝶着部を構成する導電性部材により中継されることを特徴とする、請求項１から６のいずれかに記載の遊技機。
【請求項８】
前記払出装置が設けられて遊技媒体を払出すための機構部に設けられる導電性部材と前記基板とは、複数の配線によって電気的に接続され、
該複数の配線は、複数の接続端子を有するコネクタを用いた接続形態により、前記基板に接続されることを特徴とする、請求項１から７のいずれかに記載の遊技機。
【手続補正２】
【補正対象書類名】明細書
【補正対象項目名】０００１
【補正方法】変更
【補正の内容】
【０００１】
【発明の属する技術分野】
本発明は、たとえば、パチンコ遊技機やコイン遊技機あるいはスロットマシン等で代表される遊技機に関する。詳しくは、遊技に使用可能な記録媒体について所定処理を行なう機能を有し、電気的に接地可能な接地部を有する記録媒体処理装置が電気的に接続可能であり、前記記録媒体を用いて遊技媒体を貸出す操作が行われたときに遊技媒体を払出す払出装置が備えられ、該払出装置から払出された遊技媒体を用いて遊技が行なわれる遊技機に関する。
【手続補正３】
【補正対象書類名】明細書
【補正対象項目名】０００７
【補正方法】変更
【補正の内容】
【０００７】
【課題を解決するための手段】
請求項１に記載の本発明は、遊技に使用可能な記録媒体について所定処理を行なう機能を有し、電気的に接地可能な接地部を有する記録媒体処理装置が電気的に接続可能であり、前記記録媒体を用いて遊技媒体を貸出す操作が行われたときに遊技媒体を払出す払出装置が備えられ、該払出装置から払出された遊技媒体を用いて遊技が行なわれる遊技機であって、
前記遊技媒体と接触可能な所定位置に設けられた導電性を有する接触部材と、
前記記録媒体処理装置に対し各種情報の送受信を行うために、該記録媒体処理装置からの情報送受信用配線が接続される基板とを含み、
前記基板は、前記記録媒体処理装置の前記接地部に電気的に接続される静電気放電用配線および前記情報送受信用配線の複数本の配線を纏めて接続するためのコネクタを有し、
該コネクタにより前記複数本の配線が接続されることにより、前記接触部材が受けた静電気の放電が可能な態様で、当該接触部材が前記基板と前記静電気放電用配線を介して前記記録媒体処理装置の前記接地部に電気的に接続されることを特徴とする。
【手続補正４】
【補正対象書類名】明細書
【補正対象項目名】０００８
【補正方法】削除
【補正の内容】
【手続補正５】
【補正対象書類名】明細書
【補正対象項目名】０００９
【補正方法】削除
【補正の内容】
【手続補正６】
【補正対象書類名】明細書
【補正対象項目名】００１０
【補正方法】変更
【補正の内容】
【００１０】
請求項２に記載の本発明は、請求項１に記載の発明の構成に加えて、前記遊技機に補給された前記遊技媒体を貯留する補給遊技媒体貯留部をさらに含み、
前記接触部材は、前記補給遊技媒体貯留部において遊技媒体と接触可能な所定位置に設けられた補給遊技媒体用接触部材を含むことを特徴とする。
【手続補正７】
【補正対象書類名】明細書
【補正対象項目名】００１１
【補正方法】変更
【補正の内容】
【００１１】
請求項３に記載の本発明は、請求項１または２に記載の発明の構成に加えて、前記接触部材は、前記払出装置から払出された遊技媒体を該遊技媒体の貯留および発射位置への誘導が可能な払出遊技媒体貯留部まで誘導する払出遊技媒体誘導通路において、遊技媒体と接触可能な所定位置に設けられた払出遊技媒体用接触部材を含むことを特徴とする。
【手続補正８】
【補正対象書類名】明細書
【補正対象項目名】００１２
【補正方法】変更
【補正の内容】
【００１２】
請求項４に記載の本発明は、請求項１から３のいずれかに記載の発明の構成に加えて、前記接触部材は、前記払出装置から払出された遊技媒体の貯留および発射位置への誘導が可能な払出遊技媒体貯留部に形成されて遊技媒体を整列させ、発射位置に誘導する整列通路において、遊技媒体と接触可能な所定位置に設けられた整列遊技媒体用接触部材を含むことを特徴とする。
【手続補正９】
【補正対象書類名】明細書
【補正対象項目名】００１３
【補正方法】変更
【補正の内容】
【００１３】
請求項５に記載の本発明は、請求項１から４のいずれかに記載の発明の構成に加えて、前記接触部材は、前記払出装置から払出された遊技媒体の貯留および発射位置への誘導が可能な払出遊技媒体貯留部が遊技媒体で満杯の場合に、前記払出装置が設けられて遊技媒体を払出すための機構部に形成された通路であって、余剰の遊技媒体を当該余剰の遊技媒体の貯留が可能な余剰遊技媒体貯留部へ誘導する余剰遊技媒体誘導通路において、遊技媒体と接触可能な所定位置に設けられた余剰遊技媒体用接触部材を含むことを特徴とする。
【手続補正１０】
【補正対象書類名】明細書
【補正対象項目名】００１４
【補正方法】変更
【補正の内容】
【００１４】
請求項６に記載の本発明は、請求項１から５のいずれかに記載の発明の構成に加えて、前記接触部材は、前記払出装置から払出された遊技媒体の貯留および発射位置への誘導が可能な払出遊技媒体貯留部が遊技媒体で満杯の場合に前記払出装置が設けられて遊技媒体を払出すための機構部を経て誘導されてきた余剰の遊技媒体を当該余剰の遊技媒体の貯留が可能な余剰遊技媒体貯留部に誘導する貯留遊技媒体誘導通路において、遊技媒体と接触可能な所定位置に設けられた貯留誘導遊技媒体用接触部材を含むことを特徴とする
【手続補正１１】
【補正対象書類名】明細書
【補正対象項目名】００１５
【補正方法】変更
【補正の内容】
【００１５】
請求項７に記載の本発明は、請求項１から６のいずれかに記載の発明の構成に加えて、前記接触部材の前記基板への接続は、前記遊技機の開閉部において蝶着部を構成する導電性部材により中継されることを特徴とする。
【手続補正１２】
【補正対象書類名】明細書
【補正対象項目名】００１６
【補正方法】削除
【補正の内容】
【手続補正１３】
【補正対象書類名】明細書
【補正対象項目名】００１７
【補正方法】変更
【補正の内容】
【００１７】
請求項８に記載の本発明は、請求項１から７のいずれかに記載の発明の構成に加えて、前記払出装置が設けられて遊技媒体を払出すための機構部に設けられる導電性部材と前記基板とは、複数の配線によって電気的に接続され、
該複数の配線は、複数の接続端子を有するコネクタを用いた接続形態により、前記基板に接続されることを特徴とする。
【手続補正１４】
【補正対象書類名】明細書
【補正対象項目名】００１８
【補正方法】変更
【補正の内容】
【００１８】
【作用】
請求項１に記載の本発明によれば、次のように作用する。記録媒体処理装置に対し各種情報の送受信を行うために、該記録媒体処理装置からの情報送受信用配線が接続される基板に、記録媒体処理装置の接地部に電気的に接続される静電気放電用配線および情報送受信用配線の複数本の配線を纏めて接続するためのコネクタが設けられており、該コネクタにより複数本の配線が接続されることにより、遊技媒体と接触可能な所定位置に設けられた導電性を有する接触部材が受けた静電気の放電が可能な態様で、当該接触部材が基板と静電気放電用配線を介して記録媒体処理装置の接地部に電気的に接続される。
【手続補正１５】
【補正対象書類名】明細書
【補正対象項目名】００１９
【補正方法】削除
【補正の内容】
【手続補正１６】
【補正対象書類名】明細書
【補正対象項目名】００２０
【補正方法】削除
【補正の内容】
【手続補正１７】
【補正対象書類名】明細書
【補正対象項目名】００２１
【補正方法】変更
【補正の内容】
【００２１】
請求項２に記載の本発明は、請求項１に記載の発明の作用に加えて、次のように作用する。補給遊技媒体貯留部の働きにより、遊技機に補給された遊技媒体が貯留される。接触部材が、補給遊技媒体貯留部において遊技媒体と接触可能な所定位置に設けられた補給遊技媒体用接触部材を含んでいる。
【手続補正１８】
【補正対象書類名】明細書
【補正対象項目名】００２２
【補正方法】変更
【補正の内容】
【００２２】
請求項３に記載の本発明は、請求項１または２に記載の発明の作用に加えて、次のように作用する。払出装置から払出された遊技媒体を該遊技媒体の貯留および発射位置への誘導が可能な払出遊技媒体貯留部まで誘導する払出遊技媒体誘導通路において、接触部材が、遊技媒体と接触可能な所定位置に設けられた払出遊技媒体用接触部材を含んでいる。
【手続補正１９】
【補正対象書類名】明細書
【補正対象項目名】００２３
【補正方法】変更
【補正の内容】
【００２３】
請求項４に記載の本発明は、請求項１から３のいずれかに記載の発明の作用に加えて、次のように作用する。払出装置から払出された遊技媒体の貯留および発射位置への誘導が可能な払出遊技媒体貯留部に形成されて遊技媒体を整列させ、発射位置に誘導する整列通路において、接触部材が、遊技媒体と接触可能な所定位置に設けられた整列遊技媒体用接触部材を含んでいる。
【手続補正２０】
【補正対象書類名】明細書
【補正対象項目名】００２４
【補正方法】変更
【補正の内容】
【００２４】
請求項５に記載の本発明は、請求項１から４のいずれかに記載の発明の作用に加えて、次のように作用する。払出装置から払出された遊技媒体の貯留および発射位置への誘導が可能な払出遊技媒体貯留部が遊技媒体で満杯の場合に、払出装置が設けられて遊技媒体を払出すための機構部に形成された通路であって、余剰の遊技媒体を当該余剰の遊技媒体の貯留が可能な余剰遊技媒体貯留部へ誘導する余剰遊技媒体誘導通路において、接触部材が、遊技媒体と接触可能な所定位置に設けられた余剰遊技媒体用接触部材を含んでいる。
【手続補正２１】
【補正対象書類名】明細書
【補正対象項目名】００２５
【補正方法】変更
【補正の内容】
【００２５】
請求項６に記載の本発明は、請求項１から５のいずれかに記載の発明の作用に加えて、次のように作用する。払出装置から払出された遊技媒体の貯留および発射位置への誘導が可能な払出遊技媒体貯留部が遊技媒体で満杯の場合に払出装置が設けられて遊技媒体を払出すための機構部を経て誘導されてきた余剰の遊技媒体を当該余剰の遊技媒体の貯留が可能な余剰遊技媒体貯留部に誘導する貯留遊技媒体誘導通路において、接触部材が、遊技媒体と接触可能な所定位置に設けられた貯留誘導遊技媒体用接触部材を含んでいる。
【手続補正２２】
【補正対象書類名】明細書
【補正対象項目名】００２６
【補正方法】変更
【補正の内容】
【００２６】
請求項７に記載の本発明は、請求項１から６のいずれかに記載の発明の作用に加えて、次のように作用する。接触部材の接続が遊技機の開閉部において蝶着部を構成する導電性部材により中継される。
【手続補正２３】
【補正対象書類名】明細書
【補正対象項目名】００２７
【補正方法】削除
【補正の内容】
【手続補正２４】
【補正対象書類名】明細書
【補正対象項目名】００２８
【補正方法】変更
【補正の内容】
【００２８】
請求項８に記載の本発明は、請求項１から７のいずれかに記載の発明の作用に加えて、次のように作用する。払出装置が設けられて遊技媒体を払出すための機構部に設けられる導電性部材と基板とは、複数の配線によって電気的に接続される。そして、これら複数の配線は、複数の接続端子を有するコネクタを用いた接続形態により、基板に接続される。
【手続補正２５】
【補正対象書類名】明細書
【補正対象項目名】０２２８
【補正方法】変更
【補正の内容】
【０２２８】
【課題を解決するための手段の具体例の効果】
請求項１に関しては、次のような効果を得ることができる。遊技媒体と接触可能な所定位置に設けられた導電性を有する接触部材を、接触部材が受けた静電気の放電が可能な態様で、当該接触部材を記録媒体処理装置の接地部に電気的に接続したため、遊技媒体に帯電した静電気を接触部材により受け、記録媒体処理装置の接地部を介して放電することができる。このように記録媒体処理装置を利用して静電気を放電することにより、遊技機に帯電した静電気の除去を、遊技機外部での接地配線処理等の煩雑な作業を要さず容易に行なうことができる。そして、このような静電気の除去により、静電気に起因するノイズの発生を防ぐことができ、その結果として、制御回路等の電気機器について、静電気に起因するノイズによる誤作動を防ぐことができるとともに、静電気に起因するノイズから保護することができる。また、接触部材が、基板と、該基板のコネクタに纏めて接続される複数本の配線中の静電気放電用配線と介して、記録媒体処理装置における接地部に電気的に接続されるため、静電気の放電のための配線作業が容易になり、そのような配線作業の作業性を向上させることができる。
【手続補正２６】
【補正対象書類名】明細書
【補正対象項目名】０２２９
【補正方法】削除
【補正の内容】
【手続補正２７】
【補正対象書類名】明細書
【補正対象項目名】０２３０
【補正方法】削除
【補正の内容】
【手続補正２８】
【補正対象書類名】明細書
【補正対象項目名】０２３１
【補正方法】変更
【補正の内容】
【０２３１】
請求項２に関しては、請求項１に関する効果に加えて、次のような効果を得ることができる。接触部材が、遊技機に補給された遊技媒体を貯留する補給遊技媒体貯留部において遊技媒体と接触可能な所定位置に設けられた補給遊技媒体用接触部材を含むため、遊技機に補給された段階で遊技媒体に帯電している静電気を除去することができる。
【手続補正２９】
【補正対象書類名】明細書
【補正対象項目名】０２３２
【補正方法】変更
【補正の内容】
【０２３２】
請求項３に関しては、請求項１または２に関する効果に加えて、次のような効果を得ることができる。接触部材が、払出装置から払出された遊技媒体を該遊技媒体の貯留および発射位置への誘導が可能な払出遊技媒体貯留部まで誘導する払出遊技媒体誘導通路において、遊技媒体と接触可能な所定位置に設けられた払出遊技媒体用接触部材を含むため、払出装置から払出され、払出遊技媒体貯留部に貯留される前の段階で遊技媒体に帯電している静電気を除去することができる。これにより、払出遊技媒体貯留部に貯留された遊技媒体から遊技者への静電気の放電を防ぎ、静電気の放電による不快感を遊技者に与えないようにすることができる。
【手続補正３０】
【補正対象書類名】明細書
【補正対象項目名】０２３３
【補正方法】変更
【補正の内容】
【０２３３】
請求項４に関しては、請求項１から３のいずれかに関する効果に加えて、次のような効果を得ることができる。接触部材が、払出装置から払出された遊技媒体の貯留および発射位置への誘導が可能な払出遊技媒体貯留部に形成されて遊技媒体を整列させ、発射位置に誘導する整列通路において、遊技媒体と接触可能な所定位置に設けられた整列遊技媒体用接触部材を含むため、払出装置から払出され、払出遊技媒体貯留部に貯留された後に整列誘導される段階で遊技媒体に帯電している静電気を除去することができる。これにより、整列された遊技媒体が発射位置に誘導される前に遊技媒体に帯電している静電気を除去することができる。これにより、静電気の放電による不快感を遊技者に与えないようにすることができる。
【手続補正３１】
【補正対象書類名】明細書
【補正対象項目名】０２３４
【補正方法】変更
【補正の内容】
【０２３４】
請求項５に関しては、請求項１から４のいずれかに関する効果に加えて、次のような効果を得ることができる。接触部材が、払出装置から払出された遊技媒体の貯留および発射位置への誘導が可能な払出遊技媒体貯留部が遊技媒体で満杯の場合に、払出装置が設けられて遊技媒体を払出すための機構部に形成された通路であって、余剰の遊技媒体を当該余剰の遊技媒体の貯留が可能な余剰遊技媒体貯留部へ誘導する余剰遊技媒体誘導通路において、遊技媒体と接触可能な所定位置に設けられた余剰遊技媒体用接触部材を含むため、払出装置から払出され、払出遊技媒体貯留部に貯留できずに余剰遊技媒体貯留部に貯留される前の段階で遊技媒体に帯電している静電気を機構部において除去することができる。これにより、余剰遊技媒体貯留部に貯留された遊技媒体から遊技者への静電気の放電を防ぎ、静電気の放電による不快感を遊技者に与えないようにすることができる。
【手続補正３２】
【補正対象書類名】明細書
【補正対象項目名】０２３５
【補正方法】変更
【補正の内容】
【０２３５】
請求項６に関しては、請求項１から５のいずれかに関する効果に加えて、次のような効果を得ることができる。接触部材が、払出装置から払出された遊技媒体の貯留および発射位置への誘導が可能な払出遊技媒体貯留部が遊技媒体で満杯の場合に払出装置が設けられて遊技媒体を払出すための機構部を経て誘導されてきた余剰の遊技媒体を当該余剰の遊技媒体の貯留が可能な余剰遊技媒体貯留部に誘導する貯留遊技媒体誘導通路において、遊技媒体と接触可能な所定位置に設けられた貯留誘導遊技媒体用接触部材を含むため、払出装置から払出され、払出遊技媒体貯留部に貯留できずに余剰遊技媒体貯留部に貯留される前の段階で遊技媒体に帯電している静電気を機構部外で除去することができる。これにより、余剰遊技媒体貯留部に貯留された遊技媒体から遊技者への静電気の放電を防ぎ、静電気の放電による不快感を遊技者に与えないようにすることができる。
【手続補正３３】
【補正対象書類名】明細書
【補正対象項目名】０２３６
【補正方法】変更
【補正の内容】
【０２３６】
請求項７に関しては、請求項１から６のいずれかに関する効果に加えて、次のような効果を得ることができる。接触部材の接続が遊技機の開閉部において蝶着部を有する導電性部材により中継されるため、この導電性部材の中継の長さの分だけ静電気の放電のための配線の長さを短くすることができる。これにより、配線の部品点数を減少させることができ、遊技機の製造コストを低減することができる。また、蝶着部において枠のような開閉部の開閉時に配線が開閉部に噛み込むことを防止することができる。
【手続補正３４】
【補正対象書類名】明細書
【補正対象項目名】０２３７
【補正方法】削除
【補正の内容】
【手続補正３５】
【補正対象書類名】明細書
【補正対象項目名】０２３８
【補正方法】変更
【補正の内容】
【０２３８】
請求項８に関しては、請求項１から７のいずれかに関する効果に加えて、次のような効果を得ることができる。払出装置が設けられて遊技媒体を払出すための機構部における導電性部材と基板とは、複数の配線によって電気的に接続され、これら複数の配線が複数の接続端子を有するコネクタを用いた接続形態により基板に接続されるので、導線が１本の場合よりも導電性部材と基板との間の導電性が向上するため、静電気の放電効率を向上させることができる。また、コネクタを用いて接続されるため、静電気の放電のための配線作業がより一層容易になり、そのような配線作業の作業性をより一層向上させることができる。